Podtech/llm-jp-corpus-v4-ja_patent huggingface dataset:
(57)【要約】【課題】チャック締付ハンドルに軸受けを、取り付けた、回転工具締付け装置を提供する。【解決手段】  穴明加工機の支柱に、握持金具を設け、これにアームの後端部の穴を、回動自在に設けアームの前方に設けた横穴に、傘歯車の軸部を通し、その傘歯車の軸端に、締付ハンドルを、装着固定した事を、特徴とする、回転工具締付け装置。【選択図】図１
2005349557.tif 000002
【特許請求の範囲】
【請求項１】
穴明加工機の支柱に、握持金具を設け、これにアームの後端部の穴を、回動自在に設け、アームの前方に設けた横穴に、傘歯車の軸部を通し、その傘歯車の軸端に、締付けハンドルを、装着固定した事を、特徴とする、回転工具締付け装置。
【発明の詳細な説明】
【技術分野】
【０００１】  本発明は、締付ハンドルに軸受けアームを設けた、回転工具締付け装置に関するものである。〔背景技術〕【０００２】  従来、傘歯車軸の後端に横穴を明けて、丸棒を通したＴ字型締付ハンドルはあった。〔発明が解決しようとする課題〕【０００３】  それには次のような問題点があった。（イ）締付ハンドルの先端軸をドリルチャックの軸穴に差し込むだけで作業をするため、締付け時に、ハンドル軸が芯ぶれを起し、指先で力が入れにくゝ締付けが悪い、又緩める作業でも力が入れにくゝ緩みにくい。（ハ）その為チャックハンドルを、回しそこねて指にけがをする、事故がおきがちであった。本発明は、これらの問題点を解決するためになされたものである。〔課題を解決するための手段〕【０００４】  穴明加工機の支柱に、握持金具を設け、これにアームの後端部の穴を、回転自在に設けアームの前方に設けた横穴に、傘歯車の軸部を通し、その傘歯車の軸端に、締付ハンドルを、装着固定した事を、特徴とする回転工具締付け装置。〔発明の効果〕【０００５】  回転自在の、アームの先端に締付けハンドルが装着している為、手元に引きよせる事で、締付又は緩め作業が、敏速に進み、指先もきわめて安全である。〔発明を実施するための最良の形態〕【０００６】  以下、本発明の実施の形態について説明する。（イ）穴明加工機の支柱（２）の上部に握持金具（３）を設け固定ボルト（４）で固定する。（ロ）アーム（１）の後方部の縦穴と、握持金具（３）の縦穴に、支点ピン（６）を通し固定ボルト（５）で固定する。（ハ）アーム下側に、高さ調整リング（８）を設けて、アーム（１）を回転自在にする。（ニ）アーム（１）の前方部、横穴に、傘歯車軸（９）部を、ドリルチャック側方より挿入し、アーム（１）より外に出た軸端部に、締付ハンドル（１５）を設け固定ボルト（１１）で固定する。（ホ）ドリルチャック（１０）の軸穴（１３）と傘歯車軸（７）の先端を、合致させ挿入した位置で、高さ調整リング（８）で、アーム（１）の高さ調整をする。本発明は以上の構成よりなっている、これを使用する時は、穴加工工具（１２）を、ドリルチャック（１０）に装着した後、アーム（１）を引き寄せ傘歯車先端部を、軸穴（１３）に挿入し、ドリルチャック（１０）の締付け方向に、締付けハンドル（１５）で締付ける、締付けが完予したら、アーム（１）を穴加工作業に支障が無い様に回転させ作業範囲より、遠ざける事が出来る、又穴加工工具を取りはずゝ時は、アーム（１）を引き寄せ、傘歯車軸（７）の先端部を、軸穴（１３）に挿入し、ドリルチャック（１０）の緩め方向に、ハンドル（１５）で緩めて、加工工具（１２）を取り出し作業を完予出来る。以上の様に穴加工具の締付け作業と、工具の緩め作業が敏速に出来る、又締付けハンドル（１５）の柄部分を長くする事で、僅かな力で確実な作業が出来る事を特徴とする。
【図面の簡単な説明】
【０００７】
【図１】本発明の使用状態を示す斜視図
【図２】本発明の傘歯車軸とハンドル部を示す
【図３】従来の傘歯車軸とハンドルを示す
【符号の説明】
【０００８】  １  アーム  ２  支柱  ３  握持金具  ４  固定ボルト  ５  固定ボルト  ６  支点ピン  ７  傘歯車先端部  ８  高さ調整リング  ９  傘歯車軸１０  ドリルチャック１１  固定ボルト１２  加工工具１３  軸穴１４  傘歯車１５  締付ハンドル
【図１】
2005349557.tif 000003
【図２】
2005349557.tif 000004
【図３】
2005349557.tif 000005
(57)【要約】      （修正有）【課題】長方形の枠に廻転コロ棒をセツトしたマツサージ器具を提供する。【解決手段】ベルトにコロ棒を連結し両わきの枠をレールとし前後進させるマツサージ器具。【選択図】図１
2005349172.tif 000002
【特許請求の範囲】
【請求項１】
長方形の枠を設け両側の長い方の枠をレールとし廻転コロ棒をベルトで連結、レールの上を前後進させる、マツサージ器具。
【発明の詳細な説明】
【技術分野】
【０００１】本発明は足のつかれを取り血行を良くする事に関するものである。
【背景技術】
【０００２】従来、売られている足の健康器具は突起の出ている上に乗り又は足ふみ式等を、利用していた。
【発明の開示】
【発明が解決しようとする課題】
【０００３】そのため次のような問題点があった。
（イ）突起物の上に乗る事は痛みを感じわずらわしさがあった。
（ロ）足ふみ式でわつかれを感じる欠点があった。
本発明はこれらの問題点を解決するためになされたものである。
【課題を解決するための手段】
【０００４】イスに腰掛けひざ下運動と同時に足の裏をマツサージでき血行を良くする。
【発明の効果】
【０００５】腰掛けて使用する事でつかれる事がない。
【発明を実施するための最良の形態】
【０００６】以下、本発明の実施の形態について説明する。
（イ）長方形の両わき枠をレールとし、廻転コロ棒をセツトする。
本案は以上のような構造でこれを使用するときわ、足をコロ棒の上に乗せ前後進する。
【図面の簡単な説明】
【０００７】
【図１】本発明の上部平面図
【図２】本発明の斜視図
【符号の説明】
【０００８】１  両わきレール
２  両わきカバー
３  枠
４  ベルト
５  コロ棒
６  支軸
７  底板
【図１】
2005349172.tif 000003
【図２】
2005349172.tif 000004
(57)【要約】      （修正有）【課題】店頭において加熱が必要な飲料缶等を効率よく暖め、かつ整頓に人的労力を省くことができる展示ラックを提供する。【解決手段】底部が鉄を含む金属の底部を持つ飲料缶１が陳列し易い様に飲料品展示ケース内のラックの底部に小型の電磁波発生式加熱装置３を分割配列設置し、電磁波式加熱装置３の上面に、電磁波を通過させる性質を持つプラスチック製の滑動式ローラー２を前面に向かい少しのマイナス傾斜を持たせ取り付ける。【選択図】図１
2005349160.tif 000002
【特許請求の範囲】
【請求項１】
物品販売店において、飲料品等の収納展示に設置使用されている展示ラック内で、その展示販売目的の飲料品等を電磁波で加熱する機能を持たせた販売店用展示ラック。
【請求項２】
［請求項１］の販売店用展示ラックにおいて、電磁波発生装置を展示棚に分割設置し、飲料品等の展示量に応じて使用電力量が増減することにより使用効率を向上することのできる省エネ型販売店用展示ラック。
【請求項３】
［請求項１］及び［請求項２］に述べられている展示用ラックにおいて、電波発生装置と展示飲料品等の間に滑動式ローラーラック等を設置した展示ラック。
【請求項４】
［請求項１］、［請求項２］及び［請求項３］の販売店用展示ラックにおいて、陳列棚に複数の発生装置を設置することにより陳列品の存在箇所のみが通電して加熱できることにより陳列量に比例した使用電力量を自動的に調節できる展示ラック。
【発明の詳細な説明】
【技術分野】
【０００１】販売店において、飲料品等を展示販売するために設置されている飲料品等を加熱するための手段を備えた展示用陳列棚に関する。
【背景技術】
【０００２】従来のヒーター式加熱方法は、熱伝導により飲料品の缶を通して内部の飲料を温める手法を用いていたため、缶底部が糸尻状になっているので加熱された棚から缶への熱伝導効率が悪かった。また、滑動式ローラーラックを備えていない場合は陳列棚の前面商品フェースを整えるために多くの人の手に頼るという不便さがあった。
【発明の開示】
【発明が解決しようとする課題】
【０００３】現在一般的に設置されている加熱式ラックは展示ケース全体を同時に加熱するために加熱に使用する電力量が常時一定であり、陳列展示品の増減に比例した使用電力量の調をすることが出来ない。また、鉄製の飲料缶の底部は糸尻状で熱伝導をする接触面積が小さく効率が悪く、不必要に多くの電力量を消費している。【０００４】現在、一般的に設置されている加熱式ラックはヒーターシステムの採用のため滑動性を備えた装置を設置することが出来ず、販売店における整頓作業に大きな時間と手間を要するためおおくの人手を要している。
【課題を解決するための手段】
【０００５】販売店において、鉄を含む金属性の底部を持つ飲料缶を展示ケース内で電磁波により直接加熱する。【０００６】更に、飲料品が展示ケースに収納されながら販売された場合に、展示ケースの前面のフェースが不均等になる。外観上、この状態では収納されている商品の有無や種類を購買者に提示することが容易ではなく、店舗内の美観とイメージが落ちる。この解決手段として、電磁波発生装置と飲料缶との間に滑動式ローラーを設置して飲料品等を自動移動させる。
【発明の効果】
【０００７】本発明により、鉄を含む金属製の底部を持つ飲料缶等の加熱方式を電磁波で行うことにより、効率よく、速やかに行うことが可能となる。【０００８】電熱式加熱方法では簡易な使用電力量の調節は難しいが、この電磁波方式では電磁波発生装置の上に鉄を含む金属製の底部を持つ飲料缶がない場合にはほとんど電気が流れないため、自動的に展示品の量に比例した使用電力量の調節ができるので節電効果が高くなる。【０００９】電磁波式加熱方法では、飲料缶を直接過熱するため、電磁波を通すプラスティック製等の滑動性に優れたローラーラック等を中間に設置できる。そのため、ローラーラック上に置かれている商品は最前面の商品が移動された場合に、速やかにまた、自動的に前面に滑り移動するため、店員による展示品のフェース揃えという付帯作業が省ける。【００１０】ヒーター式加熱方法では、缶底部が糸尻状になっているものは加熱時間がかかることにより経費が嵩んでしまう。しかし、電磁波式加熱方法では直接加熱のためエネルギー効率が高く短時間で過熱ができるのでヒーター式加熱方法に比べて少ない消費電力量ですみ、経費の削減にも貢献できる。【００１１】電磁波発生装置のコイルの形状を楕円形、長方形としてものを組み合わせることにより広範囲を加熱する方式で、奥行きのある展示ケースや、大型の展示ケースにも配列し易い結果を得られる。【００１２】電磁波加熱方式は対象物との間に電磁波を通すプラスティック素材等を挟み込むことができるため、多様な目的物に対応することができ、小規模店舗等でも多彩な用途が考案される。
【実施例】
【００１３】［図１］及び［図２］のように、飲料品展示ケース内のラックの底部に小型の電磁波発生式加熱装置３を分割配列設置する。電磁波発生式加熱装置３は鉄を含む金属の底部を持つ飲料缶１が陳列し易い様に配列設置される。【００１４】［図１］［図２］及び［図３］において、展示ラックの電磁波式加熱装置３の上面に、電磁波を通過させるプラスティック製の滑動式ローラー２を前面に向かい少しのマイナス傾斜を持たせ取り付ける。これにより、飲料缶１は最前列の陳列品が購入者により削除された場合、自動的に前面に移動する。【００１５】［図２］のように、飲料缶１が電磁波発生式加熱装置３上にない場合がある。その時、電磁波発生式加熱装置３には微量の待機電流が流れるが、殆どゼロに等しく、電気量を節約できる。つまり、電磁波発生式加熱装置３上に飲料缶１が配置された場合にのみ、その場所に通常通電が流れる。
【図面の簡単な説明】
【図１】個別式電磁波発生加熱装置付物品展示ラックの側面図である。
【図２】個別式電磁波発生加熱装置付物品展示ラックの上面図である。
【図３】滑動式ローラーの形状を示す図である。
【符号の簡単な説明】
１．  飲料缶
２．  滑動式プラスティック製ローラー
３．  電磁波発生式加熱装置
【図１】
2005349160.tif 000003
【図２】
2005349160.tif 000004
【図３】
2005349160.tif 000005
(57)【要約】【課題】洗濯物の通風の確保と雨水の侵入を軽減する、他人の目から洗濯物の中身がわかりにくい物干カバーであって、物干作業時に着脱の手間がかからない美感にも考慮した物干カバーを提供する。【解決手段】フック付きの複数の変型ハンガーを物干竿に掛け、その間にハトメの付いたネットシートを変型ハンガーの内側と外側に２層で装着する。そのネットシートのたるみ防止は、ネットシートの上部の袋状の穴に棒を差し込むことで解決する。【選択図】図１
2005349157.tif 000002
【特許請求の範囲】
【請求項１】
物干竿に複数のハンガーを引っ掛けて、そのハンガーにネットシートを装着する物干用ハンガータイプ片面カバー。
【発明の詳細な説明】
【技術分野】
【０００１】  本発明は物干用ハンガータイプ片面カバーに係り、特に集合住宅のベランダや他人の視線が気になるような住宅の物干空間の洗濯物のカバーに関する。
【背景技術】
【０００２】  従来、洗濯物の中身が他人からわかりにくくする目的や、ほこりや花粉を軽減しながら日光乾燥できる目的の物干用カバーは、特開２０００−７０５９４がある。【０００３】  図６に示されるように、従来の物干用カバーは下着や靴下やハンカチ等を干し易くした洗濯バサミ付き物干に直接装着するカバーであった。
【発明の開示】
【発明が解決しようとする課題】
【０００４】  しかしながら、このような物干カバーでは、洗濯バサミ付き物干などに洗濯物を着脱する際に、その都度このカバーを着脱するなどの操作の手間が生じるという問題点がある。また、カバー自体に通風の確保と雨水の侵入の軽減を同時に解決できない問題点がある。【０００５】  本発明は上記事実を考慮し、物干カバーに触れることなく洗濯物を干したり、通風の確保と雨水の侵入の軽減を解決する、他人の目から洗濯物の中身がわかりにくい、美感にも考慮した物干カバーを得ることが目的である。
【課題を解決するための手段】
【０００６】  本発明の物干用ハンガータイプ片面カバーは、物干竿に複数の片面に突出した変型ハンガーを引っ掛けて、そのハンガー間にネットシートを２層で装着することを特徴とする。【０００７】  従って、この複数のハンガー間において、直接ネットシートに触れることなく自由に洗濯ものを干すことが可能になり、通風が確保できるとともに、ネットシートの２層の隙間によって雨水の侵入を軽減することが可能となる。
【発明を実施するための最良の形態】
【０００８】  本発明の物干用ハンガータイプ片面カバーの実施形態について図面を参照しながら具体的に説明する。【０００９】  なお、図中矢印ＯＵＴは物干空間の外側を、矢印ＩＮは物干空間の内側を示す。【００１０】  図１のように、物干用ハンガータイプ片面カバー１５は、物干竿１に掛ける片面に突出した変型ハンガー２と２層のネットシート３で構成されている。【００１１】  図１のように、本実施形態では、片面に突出した変型ハンガー２は樹脂製で成形されており、フック４がハンガーのアーム部分の内側と外側に適宜配置されている。ネットシート３は、レース生地または天然繊維、合成樹脂繊維、無機繊維の糸状のものを等間隔に織ったネット生地５を防水性に富んだ布６で四方を縫製している。この縫製した布部分には、変型ハンガーに取り付けられたフック４に引っ掛けるためのハトメ７が配置されている。このハトメ７をフック４に引っ掛けることにより、洗濯物の外側にネットシートの膜を作ることができる。このネットシートは着脱が可能なことから、ネットが汚れた際に個別に洗濯することが可能となる。【００１２】  図２のように、片面に突出した変型ハンガー２は、物干作業寺に物干竿に掛ける種々の物干用ハンガーの巾１０を超える寸法１１を作業有効寸法として確保している。また片面に突出した変型ハンガー２自体のバランスを保つために、内側に比重の大きい金属等を埋め込んだウエイト１２が装着されている。【００１３】  図３のように、ネットシート３の四方の布６の上下には袋状の穴８を設け、この穴に樹脂製の棒９を差し込みネットシート自体のたるみを防止する。【００１４】  以上においては、本発明を特定の実施形態について説明したが、本発明はかかる実施形態に限定されるものではなく、本発明の範囲内にて他の種々の実施形態が可能であることは明らかである。例えば、本実施形態においては、図１に示す通り２本の片面に突出した変型ハンガー２と２枚のネットシート３の構成となっているが、図４のように、物干竿の長さに合わせて、３枚の片面に突出した変型ハンガーと４枚のネットシートによって連結して使用する構成としても良い。【００１５】  また、本実施形態においては、ハンガーのウエイト１２は比重の大きい金属等を埋め込んだ形態となっているが、図５に示されるように、水を注入する給水口１３とタンク１４により構成されても良い。
【発明の効果】
【００１６】  本発明は、洗濯物を他人の目からわかりにくくするカバーであって、同時に通風の確保と雨水の侵入を軽減する効果を有するとともに、物干作業の都度このカバーを着脱する手間がかからないという優れた効果を有する。
【図面の簡単な説明】
【００１７】
【図１】本発明の一実施形態に係る物干用ハンガータイプ片面カバーの使用態様を示す斜視図である。
【図２】本発明の一実施形態に係る片面に突出した変型ハンガーの側面図である。
【図３】本発明のＡ−Ａ線に沿ったネットシート断面図である
【図４】本発明の他の実施形態に係る物干用ハンガータイプ片面カバーを示す斜視図である。
【図５】本発明の他の実施形態に係る物干用ハンガータイプ片面カバーを示す側面図である。
【図６】従来の物干用カバーを示す斜視図である。
【符号の説明】
【００１８】１  物干竿
２  片面に突出した変型ハンガー
３  ネットシート
４  フック
７  ハトメ
９  棒
１５  物干用ハンガータイプ片面カバー（２と３の組み合わせ）
【図１】
2005349157.tif 000003
【図２】
2005349157.tif 000004
【図３】
2005349157.tif 000005
【図４】
2005349157.tif 000006
【図５】
2005349157.tif 000007
【図６】
2005349157.tif 000008
(57)【要約】      （修正有）【課題】  娘や孫娘への御守り、贈り物を作ることを目的とする。【解決手段】  日本三美人湯温泉として知られている、川中、龍神、湯の川温泉の地元の河川や山林等で採取した石を、それぞれの温泉水で洗い清める。【選択図】なし【特許請求の範囲】
【請求項１】
日本三美人湯温泉の群馬県川中温泉、和歌山県龍神温泉、島根県湯の川温泉の地元の石を、それぞれの温泉水で洗い清める。
【発明の詳細な説明】
【発明の詳細な説明】
【技術分野】
【０００１】  本案は、女児への御守り、贈り物に関するものである。
【背景技術】
【０００２】  比較する技術はありません。
【発明の実施形態】
【０００３】  日本三美人湯温泉として知られている、川中、龍神、湯の川温泉の地元の河川や山林等で採取した石を、それぞれの温泉水で洗い清める。
【発明の効果】
【０００４】  本発明は、娘や孫娘に対して、『美人（内面も含めて）に育ってほしい』との思いを込めた御守り、贈り物を作ることができる。
(57)【要約】      （修正有）【課題】収納しやすく軽い傘を提供する。【解決手段】傘の防水布１に型枠２を取付けることにより防水布を三つ折にできる板状にして並べ、れぞれ隣の防水布と縫い合わせ、中央部を固定することにより全体的に半球形の形状を維持でき、また、中央部の固定を解除することにより、薄い台形状に折りたためる。また、傘の柄２４はラジオのアンテナのような形状にし収納しやすくする。また、型枠は固定部分を除き、ある程度の硬さがあればよいためプラスチック、カーボン等の素材により軽量化する。【選択図】図１１
2005349150.tif 000002
【特許請求の範囲】
【請求項１】
防水布１に長さを変えた型枠２を複数取付け、防水布を複数に折りたためる板状にし、図４のように並べ、それぞれの端を縫い合わせることにより、型枠が互いにもたれ合い、広げた時に図５のような全体的に半球形の形状になること、また、容易に折りたたむことができ、折りたたむと薄い板状になること。
さらに中央部の型枠に型枠固定板１６及び型枠固定板１８を取付け、型枠を数枚固定することにより、半球形の形状をより強力に維持し、傘の柄の取付けもできるようにしたこと。
【発明の詳細な説明】
【発明の詳細な説明】
【技術分野】
【０００１】本発明は、折りたたみ傘を軽く、また鞄等に収納しやすくするために傘の防水布にプラスチック等の軽量素材の型枠を取付け、中央部を固定することにより、傘としての機能を保ち、傘を使用しないときに板状に折りたたむことができるようにしたものである。
【背景技術】
【０００２】従来は、傘はすべて太くて長い棒状のものであった。
【発明の開示】
【発明が解決しようとする課題】
【０００３】本発明は、従来の傘のように棒状で鞄等に収納しにくく重いものを、収納しやすく軽い傘を作ることを課題として研究を進めた。
【課題を解決するための手段】
【０００４】傘の防水布１に図２のような型枠２の長さを変え複数取付けることにより防水布を三つ折にできる板状にし、図４のように並べ、れぞれ隣の防水布と縫い合わせ、中央部を固定することにより図５のような全体的に半球形の形状を維持でき、また、中央部の固定を解除することにより、薄い台形状に折りたためる。
また、傘の柄は図１０のラジオのアンテナのような形状にし収納しやすくできる。また、型枠は固定部分を除き、ある程度の硬さがあればよいためプラスチック、カーボン等の素材により軽量化できる。
【発明の効果】
【０００５】本発明は以上のような構成であるため、従来品に比べ板状に収納でき、軽量にできる。
以下、本発明の実施の形態について説明する。
傘の防水布１に図２のような型枠２の防水布固定部３から５の３箇所が固定するように長さを変えて取付け、図３のように型枠を防水布に３個取付けることにより防水布を三つ折にできる板状にし、４枚以上の偶数の枚数を図４のように並べ図１の縫い合わせ線６と縫い合わせ線７で図４のそれぞれ隣の防水布と縫い合わせることにより図５のような全体的に半球形の形状にする。
半球形の中央部分図６の型枠８に図７の型枠固定板１６を図８のように取付け、型枠１２に型枠固定板の挿入穴１７を開け、型枠固定板１６を止められるようにする。また、型枠１０に図９の型枠固定板１８を図８と同じように取付け、型枠１４に型枠固定板の挿入穴１９を開け、型枠固定板１８を止められるようにすることにより図５のような全体的に半球形の形状を維持させる。
また、型枠固定板１６と型枠固定板１８の長さと型枠への取付位置を変え、型枠固定板をそれぞれの挿入穴で止めた時に、型枠固定板１６が上になるようにし、型枠固定板１６の傘の柄の取付け穴２０に傘の柄図１０の凸部２２を入れ、型枠固定板１８の傘の柄の取付け穴２１に傘の柄図１０の凹部２３を入れることにより傘の柄を取付け固定する。
【図面の簡単な説明】
【０００６】
【図１】  防水布の正面図である。
【図２】  型枠の正面図である。
【図３】  防水布に取付ける型枠の配置図である。
【図４】  防水布と型枠で傘を作成するときの配置図である。
【図５】  防水布と型枠で傘を作成したときの正面図である。
【図６】  傘の中央部分の型枠の配置図である。
【図７】  型枠固定板１６である。
【図８】  型枠と型枠固定板の取付け正面図である。
【図９】  型枠固定板１８である。
【図１０】  傘の柄の断面図である。
【図１１】  傘の全体の正面図である。
【符号の説明】
【０００７】  １  防水布
２  型枠
３  防水布固定部
４  防水布固定部
５  防水布固定部
６  防水布を縫い合わせる破線
７  防水布を縫い合わせる破線
８  傘の中央部分の型枠
９  傘の中央部分の型枠
１０  傘の中央部分の型枠
１１  傘の中央部分の型枠
１２  傘の中央部分の型枠
１３  傘の中央部分の型枠
１４  傘の中央部分の型枠
１５  傘の中央部分の型枠
１６  型枠固定板
１７  型枠固定板の挿入穴
１８  型枠固定板
１９  型枠固定板の挿入穴
２０  傘の柄の取付け穴
２１  傘の柄の取付け穴
２２  傘の柄の凸部
２３  傘の柄の凹部
２４  傘の柄本体
【図１】
2005349150.tif 000003
【図２】
2005349150.tif 000004
【図３】
2005349150.tif 000005
【図４】
2005349150.tif 000006
【図５】
2005349150.tif 000007
【図６】
2005349150.tif 000008
【図７】
2005349150.tif 000009
【図８】
2005349150.tif 000010
【図９】
2005349150.tif 000011
【図１０】
2005349150.tif 000012
【図１１】
2005349150.tif 000013
(57)【要約】【課題】重量・捻じれに強く、容易に組み立て・分解することが出来、分解時に板状で保管・輸送が容易であり、使い捨て可能な組み立て式腰掛けを提供する。【解決手段】脚部１０、２０、座部４０、脚部を補強する脚部補強部材３０をそれぞれダンボールで形成する。座部を補強する為に三枚の平板の目なりを交差して組み立てる。脚部を構成する１０、２０の補強・捻じれ・耐久性を増大するために脚部補強部材３０を差し込み、組み合わせる。【選択図】図１
2005349148.tif 000002
【特許請求の範囲】
【請求項１】
二枚のダンボールを張り合わせた部材２ピースを十字に交差して脚部を形成し、その１ピースの延長部材を折り曲げることにより座面を形成し、その座面の強度を増大するために目なりが交差した部材を一枚、１ピースの延長部材を折り曲げる間に挟みこみ、サイドのストッパーで抑えることにより固定することを特徴とする腰掛け。
【請求項２】
脚部の捻じれ・折れを補強するため、脚部に垂直に平板ダンボールを両サイドから差込み、組み合わせることにより固定する腰掛け。
【発明の詳細な説明】
【技術分野】
【０００１】  本発明はダンボールなど（紙製）で出来た平板を張り合わせ・折り曲げ・差込みにより、組み立て・分解が容易に出来、移動させることを目的とした、組み立て式腰掛けに関する。
【背景技術】
【０００２】  従来のダンボールなどで出来た組み立て式椅子・腰掛けは強度を増大させるために張り合わせを多く採用するか、折り曲げを多く採用している。しかし、組み立て時・分解時、折り曲げ作業に必要以上の手間がかかる。また、組み立てやすさを追求すると強度・耐久性が非常に低下する。
【特許文献１】特開２００１−１９０３５４
【発明の開示】
【発明が解決しようとする課題】
【０００３】  ダンボールは安価で加工が容易で、耐久性・断熱性に優れ、軽量で輸送・保管が容易である。また廃棄処理をしやすく、環境に優しい素材である。よってダンボール素材で出来た椅子・腰掛けは多く発案されている。しかし、従来のダンボールなどで出来た組み立て式椅子・腰掛けは折り曲げを多く採用しているため、組み立て作業に時間・手間がかかり、一度組み立てると分解しにくい。そのため一度組み立てると一般の家具と同様に分解・移動させること無く使われると考えられる。【０００４】  また、強度を増大するために材料を多く使用してコストが高くついている。本発明はその欠点を無くすために、組み立て・分解を容易にし、使用材料を少なくしてコストを抑え、強度を増大することを課題として研究を進めた。
【課題を解決するための手段】
【０００５】  使用材料を少なくして重量に耐える構造にするためには２ピースの平板部材を十字に交差することにより脚部の強度を出す。座面は三枚のダンボールの目なりを交差することにより強度を出す。脚部の捻じれ・折れを補強するため、脚部に垂直に平板ダンボールを両サイドから差込み、組み合わせることにより固定することが最善であると結論づけた。
【発明の効果】
【０００６】  本発明は以上説明したように、重量・捻じれに強く、容易に組み立て・分解することが出来、分解時に板状で保管・輸送が容易であり、使い捨て可能な組み立て式腰掛けである。
地面から座面までの高さが４２０ｍｍで、請求項１の考案のように座面をダンボール三枚の目なりを交差して重ねることにより、弾力性を持たせ、大人が長時間腰掛けても疲れにくく、強度も充分であることが認められたものである。また座面は３００ミリ角の角を５０ミリで落として八角形としており、脚部補強部材３０はΦ２００ミリで角を落とすことにより、着座時、太ももの裏側・ふくらはぎが腰掛けに当たらないように設計してある。
また、請求項２の考案のように構成することにより、組み立て・分解が容易で捻じれ・耐久性があり、製造も安価で出来る。
【発明を実施するための最良の形態】
【０００７】  脚部１０、２０、と座部を補強する脚部補強部材３０をそれぞれダンボールで形成する。座部を補強する為に脚部１０から延びている部材を折り曲げる間に、目なりが垂直方向にカットされた座部４０の平板を挟みこむ。１０、２０、４０が外れないようにするため、脚部１０に付いているサイドストッパーを４箇所折り曲げて固定する。脚部を構成する１０、２０の補強・捻じれ・耐久性を増大するために脚部補強部材３０を脚部２０に垂直に差込み、反対側の脚部２０に脚部補強部材３０を垂直に差し込んで脚部１０を貫通して２つの脚部補強部材３０を組み合わせて固定する。
脚部１０は〔図３〕の二枚を貼り合わせている。脚部２０は〔図４〕の二枚を貼り合わせている。脚部補強部材３０は〔図５〕の二枚を張り合わせて、同型の２ピースを使用する。【０００８】  脚部１０は２枚の平板を重ねた部材で座部を左右に広げる。脚部１０の１１と脚部２０の２１を組み合わせて、脚部１０の座部の上に座部４０を重ね合わせて再度、脚部１０の座部を座部４０の上に重ね合わせる。脚部２０の２２と脚部１０の１２と座部４０の４１と脚部１０の１５を組み合わせる。脚部１０の１６（止具）を下へ折り曲げることにより座部４０の４２と脚部１０の１３を組み合わせて座部を固定する。脚部補強部材３０の３１と脚部２０の２３を組み合わせて、脚部補強部材３０の３２を脚部１０の１４に貫通させて脚部補強部材３０の３３に組み合わせて脚部を固定する。
【図面の簡単な説明】
【０００９】
【図１】本発明を実施した組み立て式腰掛の全体斜視図である。
【図２】本発明を実施した組み立て式腰掛の分解斜視図である。
【図３】本発明を実施した脚部１０の平面展開図である。
【図４】本発明を実施した脚部２０の平面展開図である。
【図５】本発明を実施した脚部補強部材３０の平面展開図である。
【図６】本発明を実施した座部４０の平面展開図である。
【符号の説明】
【００１０】１０：脚部と座部
２０：脚部
３０：脚部補強部材
４０：座部
１１：脚部２０の溝２１と組み合わせる溝
１２：脚部２０の凸部２２と組み合わせる穴
１３：座部１０の１６（止具）を組み合わせる溝
１４：脚部補強部材３０の凸部３２と組み合わせる穴
１５：脚部２０の凸部２２と組み合わせる穴
１６：座部１０の溝１３と座部４０の溝４２と組み合わせる止具
２１：脚部１０の溝１１と組み合わせる溝
２２：座部１０の穴１２と穴１５と座部４０の穴４１と組み合わせる凸部
２３：脚部補強部材３０の溝３１と組み合わせる溝
３１：脚部２０の溝２３と組み合わせる溝
３２：脚部１０の穴１４を貫通して脚部補強部材３０の溝３３と組み合わせる凸部
３３：脚部補強部材３０の凸部３２と組み合わせる凹部
４１：脚部２０の凸部２２と組み合わせる穴
４２：座部１０の１６（止具）を組み合わせる溝
【図１】
2005349148.tif 000003
【図２】
2005349148.tif 000004
【図３】
2005349148.tif 000005
【図４】
2005349148.tif 000006
【図５】
2005349148.tif 000007
【図６】
2005349148.tif 000008
(57)【要約】【課題】  自らの力で足裏をマッサージする場合には労力に対する過度の負担が筋肉に残る恐れがある。この発明においては、利用者が行う軽度の運動のみで足裏のマッサージ効果が得られる健康器具を提供する。【解決手段】  この発明はガイド溝の上に置いた球体に足先を乗せて、下肢を前方向に押し出す運動を繰り返すことで、球体が無為に横方向へ逃げることなく足裏に刺激を加えることを特徴とする。足裏への押圧が弾力的に伝わる仕組みとして、ガイド溝の表面に弾力性に富む緩衝材を貼り付けた。押圧に要する脚部の運動量が最小になる仕組みとして、ガイド溝の底面を角度１０度から２０度の範囲で前上がりの勾配とした。【選択図】  図１
2005349147.tif 000002
【特許請求の範囲】
【請求項１】
（イ）基盤の上面に球体が転がるためのガイド溝を成形し、ガイド溝の表面に緩衝材を貼り付ける。
（ロ）ガイド溝の底面は角度１０度から２０度の範囲で前上がりの勾配を有する。
（ハ）足裏の押圧は全面に凹凸を有する球体をもって行い、球体はガイド溝の上に置いて使用する。
以上のような構造を特徴とする足裏用のマッサージ器具
【発明の詳細な説明】
【技術分野】
【０００１】  この発明は、球体を用いて足裏をマッサージする健康器械に関するものである。
【背景技術】
【０００２】  自らの力で足裏をマッサージする器具としては、揉む、叩く、押さえる等の様々な方法がとられてきたが、従来の器具は一定のマッサージ効果を得るための代償として大きな労力を必要としたので、労力を軽減するさらなる改良が求められてきた。
【発明の開示】
【発明が解決しようとする課題】
【０００３】  利用者の軽度の運動をもって足裏のマッサージ効果が得られる健康器具を提供する。また、押圧に要する脚部の運動量を最小限にして、足裏マッサージに要する労力が筋肉に対して過度な負担とならない仕組みを取り入れる。
【課題を解決するための手段】
【０００４】  この発明の器具は、利用者が任意の椅子もしくはソファー等に座った状態で使用することに特定して、足裏への押圧は利用者の下肢の重量とそれに加える利用者自らの若干の筋肉運動によって調整するものとした。さらに、足裏への押圧を弾力的に伝達する仕組みとして、ガイド溝の表面に弾力性に富む緩衝材を貼り付けるものとした。押圧に要する脚部の運動量を最小限に留める手法として、ガイド溝の底面を角度１０度から２０度の範囲で前上がりの勾配とした。
【発明の効果】
【０００５】  この発明はガイド溝の上に置いた球体に足先を乗せて、下肢を前方向に押し出す運動を繰り返すことで、球体を通して足裏に刺激を加えることを特徴とする。この動作の様態は緊張を解いた状態で、かつ最小限の労力をもって行うことのできる運動であり、効率的なマッサージ効果を引き出すことを可能にするものである。
【発明を実施するための最良の形態】
【０００６】  この発明の器具は、〔図１〕に示すとおり、ガイド溝（１）を有する基盤と足裏に押圧の刺激を与える球体（２）の二つの部材により構成する。【０００７】  この発明の器具は、利用者が任意の椅子もしくはソファー等に座った状態で使用することに特定し、基盤は足裏マッサージを行うために床もしくは畳上に設置する。
基盤の上面は縦方向を軸とするガイド溝（１）を成形して、足裏で球体（２）を転がす際に球体（２）が無為に横方向に逃げることを防止する、あるいは球体（２）が基盤から容易に落下しない状態で転がるようにする。【０００８】  足裏への加圧を弾力的に伝達する仕組みについて説明する。足裏が球体の硬度を直接に感じると、脚部の筋肉は緊張を生じてマッサージ効果は半減する。したがって、足裏に伝わる押圧の感触を緩和する仕組みとして、ガイド溝（１）の表面に弾力性に富む緩衝材（３ａ）及び緩衝材（３ｂ）を貼り付ける。緩衝材（３ａ）は緩衝材の下層として樹脂状の伸縮に富む素材を使用し、緩衝材（３ｂ）は表層として足裏の感触を満足する布状の通気性に富んだ材料で被覆する。【０００９】  押圧に要する脚部の運動量を最小限にして、足裏マッサージに要する労力が負担にならない仕組みを説明する。〔図４〕に示すとおり、膝関節１１ａを固定した状態で下肢を垂らし、足裏を球体（２）に乗せながら下肢を前方向に押し出すと、球体（２）の直下の点１１ｂは円弧の軌跡を描きながら点１１ｃの位置に到達する。したがって、この軌跡に添ってガイド溝（１）の底面を設定すれば、下肢は最小の労力で前後への往復運動を行うことができる。ここで、足裏の形状は単に平坦ではなく、ほぼ中央部に土踏まずの部位を有するから、足裏がより均等な圧力で球体に接する状態であるためには、ガイド溝（１）の底部の点１１ｂと点１１ｃの二点を直線で結ぶ方が効果が大きいと認められる。したがって、この発明においてはガイド溝（１）の底面の線形を直線にとり、勾配角度は１０度から２０度の範囲で定めるものとする。【００１０】  球体（２）は足裏に一定の押圧感を感じさせるために、その直径は少なくともゴルフボールの直径と同程度もしくはそれより大きくとり、単位体積重量は１．０から１．５程度の範囲で制作する。球体（２）は足裏に接触して刺激する材料であるから、全面に凹状の窪みを設ける、あるいは凸状の突起を列べるものなど、足裏のマッサージの強度を調整する用として複数を準備する。球体（２）の保管は基盤内に設ける保管箱（５）に収納する。
【実施例】
【００１１】  ガイド溝（１）の底面の前上がりの勾配角度を定めた経緯は次による。足先を乗せた球体（２）を踵から爪先まで転がす場合の膝関節の振幅角度は、一般に標準的な体型から推して概ね３０度である。〔図５〕を用いて説明すると、点１１ａの内角を３０度とする場合、点１１ｂと点１１ｃの内角はそれぞれ７５度となるから、マッサージ器具の床面とガイド溝（１）の底面が挟む角度は１５度である。したがって、ガイド溝（１）の勾配は１５度を平均として、１０度から２０度の範囲をもって勾配角度とするものとする。【００１２】  この発明の図示はガイド溝（１）を１本としているが、ガイド溝（１）を平行に２本列べることによって両足を同時にマッサージする器具を提供することも可能である。
【図面の簡単な説明】
【００１３】
【図１】  本発明の斜視図である。
【図２】  本発明の側面方向の断面図である。
【図３】  〔図２〕に図示する（Ｘａ−Ｘｂ）の断面図である。
【図４】  膝関節１１ａを固定して球体を転がす際の球体の軌跡の概念図である。
【図５】  〔図４〕の角度を説明する状態図である。
【符号の説明】
【００１４】        １：ガイド溝
２：球体
３ａ：緩衝材（下層）
３ｂ：緩衝材（表層）
４：基盤材
５：球体保管箱
６：保管箱扉
７：滑り止め
１１ａ：膝関節の点
１１ｂ：下肢を垂らした状態の球体の直下の点
１１ｃ：下肢を前方向に押し出した時に到達する球体の直下の点
【図１】
2005349147.tif 000003
【図２】
2005349147.tif 000004
【図３】
2005349147.tif 000005
【図４】
2005349147.tif 000006
【図５】
2005349147.tif 000007
(57)【要約】      （修正有）【課題】  ウエイトが仕切り板に当たった時に発生する音と負荷を基準に、局部ごとに徐々に捻っていくことで誰でも容易に大きな捻れ運動ができ全身の筋力強化を効果的に行なえる器具を提供する。【解決手段】  円状の器具１の数箇所に仕切り板２を設け、おもり３をいれることを特徴とする。【選択図】図１
2005349169.tif 000002
【特許請求の範囲】
【請求項１】
（イ）アール又は円状の器具の円周を数箇所に仕切る。
（ロ）仕切った空間におもりを入れる。
以上のごとく構成されたトレーニング器具
【発明の詳細な説明】
【発明の詳細な説明】
【産業上の利用分野】
【０００１】  この発明は、アール状又は円状の器具の円周上におもりを移動させて音を発生、ウエイトをかけることで、容易に無理なく大きな回転、捻れ運動を創ることができ、短期間でより効果的に全身の筋力、体力を向上させるためのトレーニング器具に関するものである。
【背景技術】
【０００２】  従来、トレーニング用品として一般的なものとして鉄アレー、エキスパンダー、棒状の器具、ゴムチューブ等が使われている。
【発明が解決しようとする課題】
【０００３】  これらの道具はウエイトをかけて鍛えるものであるが回転捻れ運動をした場合、自分の力で動かすために、回転、捻れが小さく、長期間続けないとなかなか効果が現れにいという欠点があった。また、長尺のもので回転運動をした場合は棒状のために腕腰等に負担がかかり、一回に大きく捻ると筋を伸ばしたり、身体に故障を起こしやすいという欠点があった。
【課題を解決するための手段】
【０００４】  本発明はその欠点を除去するために、アール状又は円状の器具１を数箇所に仕切り２、おもり３を取り付けた。円状のために捻る方向に瞬間的に遠心力が加わり、大きな捻れを創ることができる。また、軽いものを振っても捻る方向へ瞬時にウエイトをかけることで重いものを振った以上の効果が得られる構造とした。長尺１８０センチの棒を振って遠心力で鍛える方法では腕腰等に負担がかかるが、同様の長さを円状にすると、直径６０センチ弱を瞬時におもりが移動して負荷がかかるため、体に負担をかけずに瞬発的な筋力を養うことができ、短期間でより効果的なトレーニングができる。
【作用】
【０００５】  このように、移動するおもりと遠心力が、身体の回転捻れ運動を、促進、加速してくれる役目を果たすために、自然に、瞬時に、容易に大きな回転捻れ運動ができる。また、仕切り板２におもり３が当たった衝撃で体に振動を与えることでバイブレーター効果が生まれ、全身の神経が活性化し筋肉が柔らかくなるため、なお、大きな捻れが起こることも大きな特徴であり、簡単で手軽に短期間で大きな効果が期待できる。これを継続して使用し全身の捻れ運動を行うことで、特に下半身（膝）が強化され安定するためにぐらつかなくなり長時間の運動にも耐えることができ、野球、ゴルフ、テニス等では安定したフォームになり、ミート力、飛距離アップにつながる。すべてのスポーツに効果的なトレーニングができ、怪我をしにくい身体づくりができる。また、仕切りに当たる時に発生する音を基準にして局部ごとに捻り運動を行なうことで（図４）誰でも大きな捻れを創ることができるようになる。
【実施例】
【０００６】以下、本発明の実施例について説明する。
（イ）水平方向の移動の場合おもりは図２のように移動して上半身が大きく捻れてウエイトがかかるために、特に体を支える下半身を中心に全身を鍛えることができる。
（ロ）垂直方向に上から振り下した場合、肩、背筋を使ってを大きく捻り回転してウエイトがかかるために、背筋を中心に全身を鍛えるのに効果的である。
（ハ）同様に下から上に向かって回転捻る動作をすると肩の後ろにいかないとおもりが落下しないので自然と大きな回転になりウエイトがかかるため肩、二の腕、胸部、腹部、背の筋、下半身と全身の筋力に効果的である。
（ニ）上から斜め下外方向へ下から斜め上後方へと、捻る動作、回転する方向によって鍛えたい部分を局部ごとにを集中的に鍛えることができる。
（ホ）捻り回転するとおもりが円周を移動し仕切り板に当たり音を発生する。この音を基準に腕、腰、上体と局部ごとに順にねじり回転していくことで、容易に大きな捻れ回転運動を創るすることができる。図４円状の器具はどの動作でも常に体の正面で捻り回転させることで全身が大きく捻れる。図４▲１▼片手で下を握りもう片方の手を横に添える。▲２▼腕だけで下方向に回転。音を確認したら止める。▲３▼腰だけでねじり回転。音を確認したら止める。▲４▼上体だけで大きく捻り回転。音を確認するまで大きく上体をそらす。これを右方向、左方向と交互に行なう。こうすることによって老若男女誰でも気軽に全身の捻れ回転運動を行なうことができ、体の歪みの矯正にもなり、健康的な体づくりを手軽に行なうことができる。また、いち、にい、さんの音でリズムをとって運動ができるので楽しみながら続けられて、音を基準にして捻っていくために捻れているかいないかがよくわかる。
【発明の効果】
【０００７】このトレーニング器具は、誰でも手軽に簡単に全身の捻れ運動、回転運動を大きくできるようになる。捻れ運動をすることで、特に下半身（膝）が強化され、体の軸が安定するため、野球の場合、ミート力向上、飛距離アップにつながる。同様にゴルフ、テニスなどのスイング（回転運動）をするスポーツはもちろん、すべてのスポーツの筋力アップ、ストレッチ運動を効果的にできる。また、子供は体力の向上、年配の方は体力の維持に、女性はシェイプアップにと幅広い用途で効果を発揮する。
【図面の簡単な説明】
【図１】１．円状の器具  ２．仕切り板  ３．おもり
【図２】水平方向の移動
【図３】垂直方向の移動
【図４】局部ごとの全身の捻れ運動例
【符号の説明】
【図１】
2005349169.tif 000003
【図２】
2005349169.tif 000004
【図３】
2005349169.tif 000005
【図４】
2005349169.tif 000006
(57)【要約】【課題】  従来、雨傘を入れる携帯用のビニール袋は無かった。したがって不便だった。本発明は、濡れた雨傘を簡単で手早く装着できるので、雨の日に雨や濡れた雨傘で濡れて不快な思いをしないで安心して乗り物や建物に入る事ができ、なおかつ手軽に携帯できる便利なビニール袋を提供する。【解決手段】  ビニール袋（１）を逆台形の円錐形にし、上部に装着時につかむ耳（２）（３）を対面に設け、かつ蛇腹形態で上下を折りたたんで圧縮した形にしたことを特徴とする。【選択図】図１
2005349161.tif 000002
【特許請求の範囲】
【請求項１】
（イ）ビニール袋（１）を逆台形の円錐形にし、上部に耳（２）（３）を設ける。
（ロ）蛇腹形態で上下を折りたたんで圧縮する。
以上のごとく構成された携帯用雨傘入れビニール袋。
【請求項２】
ビニール袋（１）の上部の耳（２）（３）の両脇にゴム（５）を装着した、請求項１の携帯用雨傘入れビニール袋。
【請求項３】
ビニール袋（１）の下部に吸収体（６）を装着した、請求項１の携帯用雨傘入れビニール袋。
【発明の詳細な説明】
【技術分野】
【０００１】  この発明は、携帯できて手早く装着できる雨傘入れビニール袋に関するものである。
【背景技術】
【０００２】  従来、雨傘を入れるビニール袋は、雨の日にスーパーやデパートの店頭では配布していたが、携帯用の雨傘を入れるビニール袋は無かった。
【発明の開示】
【発明が解決しようとする課題】
【０００３】  これはつぎのような問題点があった。
（イ）雨の日に自家用車に乗る時、濡れた傘は濡れたまま助手席や後部座席に置いていた。その時、服や車内が濡れて困った。
（ロ）雨の日の電車やバス等に乗った時、混んでいる時はお客さん同士の濡れた傘でお互いの服や持ち物が濡れ、座席に座る時は濡れた傘を座席の前や横に置くので、服や持ち物が濡れて不快な思いをしていた。
（ハ）雨の日の電車やバス等に乗った時、濡れた傘の水で車内の床が濡れて滑り易くなり危険であった。
（ニ）雨の日に、軒やテントのように雨をしのげる物が無い建物に入る時、雨傘を閉じる時に濡れて不快な思いをしていた。しかも建物の床を濡らし滑り易くなり危険なので、拭き掃除をしなければならなくなり面倒であった。
（ホ）雨の日に建物に入った時、鍵付きの傘用ロッカーでない傘立てに置いておくと盗難や紛失にあい、困っていた。
（ヘ）スーパーやデパートの店頭で配布しているビニール袋は、機械で装着できる物以外は、図７に示すような形状で店頭にぶら下げてあったが、雨傘を装着しにくく手間がかかった。
本発明は、これらの欠点をなくすためになされたものである。
【課題を解決するための手段】
【０００４】  図４に示すように、ビニール袋（１）を雨傘がすっぽり装着できる逆台形の円錐形にしビニール袋（１）の上部に装着時につかむ耳（２）（３）を設ける。
図２に示すように、手軽に携帯できるように蛇腹形態で上下を折りたたんで圧縮して、コンパクトな形にする。
以上の構成よりなる携帯用雨傘入れビニール袋である。
【発明の効果】
【０００５】  本発明は以上のような構成だから、簡単に手早く雨傘に装着できるので装着する時に雨に濡れることが少なくてすみ、自家用車や電車やバス等に乗った時、服や持ち物が濡れる心配が無いので、不快な思いをしないですむ。なおかつ電車やバス等の車内や建物の床も濡れにくいので滑る危険性が減り安全である。しかも図２に示すように、コンパクトな形態にすることで手軽に携帯できる。なお、図５に示すように、雨傘が抜けない為にビニール袋（１）の上部の耳（２）（３）の両脇にゴムを装着してもよい。又、図７に示すように、雨水を吸収させる為にビニール袋（１）の下部に吸収体（６）を装着してもよい。
【発明を実施するための最良の形態】
【０００６】  以下、本発明の実施の形態について説明する。
（イ）図４に示すように、ビニール袋（１）を雨傘がすっぽり装着できる逆台形の円錐形にする。
（ロ）図１に示すように、ビニール袋（１）の上部に、雨傘を装着する時につかむ耳（２）（３）を対面に設ける。
（ハ）図２に示すように、蛇腹形態で上下に折りたたんで圧縮し、コンパクトにする。
本発明は以上の構成よりなる。
本発明を使用する場合は、片方の耳（２）を雨傘を持ってない方の手でつかみ、閉じた雨傘の先端をビニール袋の中心に持っていきそのまま押し込む。止めヒモのところで一端止まるので、耳（２）をつかんでいた手を雨傘の柄に持ち替え、雨傘の柄を持っていた手で反対側の耳（３）をつかみ上げると簡単に手早く傘が装着できる。なおかつコンパクトな形態なので手軽に携帯できる。
【図面の簡単な説明】
【０００７】
【図１】  本発明の斜視図である。
【図２】  本発明の蛇腹形態で上下に折りたたんで圧縮した図１の斜視図である。
【図３】  図２の平面図である。
【図４】  本発明の使用中の斜視図である。
【図５】  本発明の他の実施例を示す斜視図である。
【図６】  図５の使用中の斜視図である。
【図７】  本発明の他の実施例を示す斜視図である。
【図８】  図７の使用中の斜視図である。
【図９】  従来の斜視図である。
【符号の説明】
【０００８】  １  ビニール袋
２  耳
３  耳
４  雨傘
５  ゴム
６  吸収体
【図１】
2005349161.tif 000003
【図２】
2005349161.tif 000004
【図３】
2005349161.tif 000005
【図４】
2005349161.tif 000006
【図５】
2005349161.tif 000007
【図６】
2005349161.tif 000008
【図７】
2005349161.tif 000009
【図８】
2005349161.tif 000010
【図９】
2005349161.tif 000011